(57)【要約】【課題】眼鏡装着者の顔面、又は、側頭部にしっかりフィッティングするように装着出来、且つ、収納を嵩張らずにする事。【解決手段】湾曲反転可能な上下一組の脚片（２３，２４）の弾性薄板よりなる第一テンプル（３０）とその後端部に連結固着される湾曲反転可能な上下一組の脚片（２５，２６）の弾性薄板よりなる第二テンプル（３１）とから構成され、前記第一テンプルの前端部にはフロントフレームにヒンジ結合されるヒンジ部（Ｈ）を有し、前記第二テンプルは装着者の側頭部近辺に設置される様に設けられた事を特徴とするフィッティング眼鏡の提供。【選択図】図２
0003123640.tif 000002
【実用新案登録請求の範囲】
【請求項１】
湾曲反転可能な上下一組の脚片の弾性薄板を耳掛け部として設けた事を特徴とするフィッティング眼鏡。
【請求項２】
湾曲反転可能な上下一組の脚片の弾性薄板よりなる第一テンプルとその後端部に連結固着される湾曲反転可能な上下一組の脚片の弾性薄板よりなる第二テンプルとから構成され、前記第一テンプルの前端部にはフロントフレームにヒンジ結合されるヒンジ部を有し、前記第二テンプルは装着者の側頭部近辺に設置される様に設けられた事を特徴とするフィッティング眼鏡。
【請求項３】
左右端部が左右レンズ又はフレームにそれぞれ固着され、且つ左右対称で湾曲反転可能な上下一組の脚片の弾性薄板よりなるブリッジを有する事を特徴とするフィッティング眼鏡。
【請求項４】
湾曲反転可能な上下一組の脚片が左右対称となるように連結固着された対の弾性薄板ブリッジよりなり、それぞれの外端部が各々の左右レンズフレーム又はレンズに固着された事を特徴とするフィッティング眼鏡。
【請求項５】
前記請求項２又は請求項３に記載のブリッジと請求項１に記載のテンプルとを有する事を特徴とするフィッティング眼鏡。
【考案の詳細な説明】
【技術分野】
【０００１】  本考案は、眼鏡の装着者の顔面又は頭部にしっかりフィット出来る変形可能な眼鏡に関する。
【背景技術】
【０００２】  従来、装着者の側頭部にしっかり眼鏡をフィットする手段としてはバネ丁番等が使用されてきた。【０００３】  又、ブリッジ部分にバネを装着し、フロント部中心で前後にフロントフレームを屈曲変形させ、顔面形状に合うようにされたフィッティング眼鏡フレームとして、登録実用新案第３０２２７２３号が示されている。
【特許文献１】登録実用新案第３０２２７２３号
【考案の開示】
【考案が解決しようとする課題】
【０００４】  しかしながら、上記バネ丁番に於いては、微細部品の集合で出来ており構造が複雑で製作に手間が掛かり単価が高くなってしまっていた。又、見栄えも悪く、テンプルを折り畳んだ場合、テンプル同士の干渉が起こりテンプルの収納が悪くなり、嵩張ってしまった。【０００５】  又、上記登録実用新案第３０２２７２３号に提案されている物についても、同じく構造が複雑で単価が高くなってしまった。
【課題を解決するための手段】
【０００６】  上記課題を解決する為に、本考案に於いては、先ず第一に、湾曲反転可能な上下一組の脚片の弾性薄板を耳掛け部として設けた事を特徴とするフィッティング眼鏡の提供により、簡単な構造で装着者の側頭部に眼鏡がしっかりフィットする事が可能となった。【０００７】  更に、湾曲反転可能な上下一組の脚片の弾性薄板よりなる第一テンプルとその後端部に連結固着される湾曲反転可能な上下一組の脚片の弾性薄板よりなる第二テンプルとから構成され、前記第一テンプルの前端部にはフロントフレームにヒンジ結合されるヒンジ部を有し、前記第二テンプルは装着者の側頭部近辺に設置される様に設けられた事を特徴とするフィッティング眼鏡の提供により、より装着者の顔面及び側頭部にしっかりフィットできるように変形できる眼鏡が可能となった。【０００８】  そして、左右端部が左右レンズ又はフレームにそれぞれ固着され、且つ左右対称で湾曲反転可能な上下一組の脚片の弾性薄板よりなるブリッジを有する事を特徴とするフィッティング眼鏡の提供により、眼鏡フロント部で屈曲可能で顔面形状にフィットする眼鏡が簡単な構造で提供可能となった。【０００９】  そして更に、湾曲反転可能な上下一組の脚片が左右対称となるように連結固着された対の弾性薄板ブリッジよりなり、それぞれの外端部が各々の左右レンズフレーム又はレンズに固着された事を特徴とするフィッティング眼鏡の提供により、眼鏡フロント部で屈曲可能で顔面形状にフィットする眼鏡が簡単な構造で提供可能となった。又、上記、上記本考案のテンプル及びブリッジの組み合わせにより眼鏡フロント部で屈曲可能で顔面形状にフィットし側頭部にもしっかりフィットする眼鏡が簡単な構造でしかも安価に提供可能となった。
【考案の効果】
【００１０】  本考案によると、先ず第一に、テンプル部に於いては、テンプルを開いて眼鏡を使用する際には、装着者の側頭部にしっかりフィットするように湾曲反転部材により変形可能であり、テンプルを閉じて眼鏡を使用しない場合に於いては、湾曲反転部材を元に戻すことにより、収納が嵩張らなくて折り畳むことが出来る。弾性板材を使用している為にフィット感が良い。しかもフィンガータッチで操作が可能である。【００１１】  次に、ブリッジ部に於いては、簡単な構造で、湾曲反転部材により眼鏡フロント部で屈曲可能で顔面形状にフィットする眼鏡が簡単な構造で提供可能となった。しかも、上記両方ともに安価に簡単に製造が可能である。
【考案を実施するための最良の形態】
【００１２】  湾曲反転可能な上下一組の脚片の弾性薄板よりなる第一テンプルとその後端部に連結固着される湾曲反転可能な上下一組の脚片の弾性薄板よりなる第二テンプルとから構成され、前記第一テンプルの前端部にはフロントフレームにヒンジ結合されるヒンジ部を有し、前記第二テンプルは装着者の側頭部近辺に設置される様に設けられ、そして、湾曲反転可能な上下一組の脚片が左右対称となるように連結固着された対の弾性薄板ブリッジよりなり、それぞれの外端部が各々の左右レンズフレーム又はレンズに固着された事を特徴とするフィッティング眼鏡。以下図により実施の形態を説明する。
【実施の形態１】
【００１３】  図１は本考案の第一の実施例で請求項１に係わる要部斜視図であり、湾曲反転可能な上下一組の脚片２１，２２の弾性薄板２０を耳掛け部として設け、その前方部にはテンプル１０を配し、フロントフレームＦにヒンジ結合された状態が表されている。勿論この場合、湾曲反転可能な弾性薄板がテンプル部に設けられその後方にモダン（耳掛け）部が設けられた構造でも良い。
【００１４】  図２は本考案の第一の実施例で請求項２に係わる要部斜視図であり、湾曲反転可能な上下一組の脚片２３，２４の弾性薄板よりなる第一テンプル３０とその後端部に連結固着される湾曲反転可能な上下一組の脚片２５，２６の弾性薄板よりなる第二テンプル３１とから構成され、前記第一テンプルの前端部にはフロントフレームＦにヒンジ結合されるヒンジ部Ｈを有し、前記第二テンプルは装着者の側頭部近辺に設置される様に設けられる。
【００１５】  その作用を図５から図９の平面図を使い説明すると、先ず、右側のテンプルを代表例として説明すると、図５はテンプル１０ａを開拡して眼鏡をかける状態であり、湾曲反転する前の状態であり勿論このままでも使用できる。次に図６はその状態から第二テンプル３１だけを湾曲反転した場合であり、僅かな距離だけを調整して眼鏡をフィッティングさせる場合はこれで充分である。この場合も指先だけでポキっと折るようにして操作出来るので誰でも簡単に出来る。
【００１６】  図７は図５の状態から第一テンプル３０のみを湾曲反転した場合を表しており、これは上記図６の場合よりももう少しの距離を調整する場合に有効である。
【００１７】  図８は図７の状態から更に、第二テンプル３１も湾曲反転した場合であり、この場合は大幅に距離を調整でき、特にスポーツ等に於いては有効に作用する。
【００１８】  この様に使用する際には四段階に変形・調整可能となり今迄に無い効果を生み出す。
【００１９】  又、図９のように折り畳む際には湾曲反転部を元に戻して折り畳むことにより、従来の同じ眼鏡のテンプル３３と比べても、眼鏡が嵩張らなく折り畳める。
【００２０】  図３は本考案の第二の実施例であり請求項３に係わる斜視図であり、左右端部４１，４２が左右レンズ又はリムフレーム６１，６２にそれぞれ固着され、且つ左右対称で湾曲反転可能な上下一組の脚片５１，５２の弾性薄板よりなるブリッジ５０であり、この場合は、図１０、図１１に示すようにブリッジ部で湾曲反転させることにより眼鏡全体の幅を変え顔面にフィットさせることが可能である。しかも簡単な構造で安価に仕上がる。又、上記テンプル部と同時に組み合わせて使用することにより調整の組み合わせの幅は大いに広がる。
【００２１】  図４は本考案の第二の実施例で請求項４に係わる斜視図であり、この場合は湾曲反転部材を二枚を使用して中心部で連結固着してブリッジとして使用した場合であり、上記図３の場合と同様な効果を表す。
【００２２】  又、この弾性を有する湾曲反転部材は金属製の部材が有効であるが、エンプラ等のプラスチックでも良い。そして、金属製の部材の場合は装着者の肌に接する部分は樹脂を被覆しても良い。
【図面の簡単な説明】
【００２３】
【図１】本考案の第一の実施例の背面からの斜視図
【図２】本考案の第一の実施例の背面からの斜視図
【図３】本考案の第二の実施例の前面からの斜視図
【図４】本考案の第二の実施例の前面からの斜視図
【図５】本考案の第一の実施例の作用説明用平面図
【図６】本考案の第一の実施例の作用説明用平面図
【図７】本考案の第一の実施例の作用説明用平面図
【図８】本考案の第一の実施例の作用説明用平面図
【図９】本考案の第一の実施例のテンプルを折り畳んだ平面図
【図１０】本考案の第二の実施例の説明用要部平面図
【符号の説明】
１０      従前のテンプル
２０      耳掛け分
２１、２２      湾曲反転部材の脚片
３０      第一テンプル
３１      第二テンプル
４１，４２      ブリッジ左右端部
５０      ブリッジ
６１，６２      フロントリムフレーム
Ｆ      フロントフレーム
Ｈ      ヒンジ部
【図１】
0003123640.tif 000003
【図２】
0003123640.tif 000004
【図３】
0003123640.tif 000005
【図４】
0003123640.tif 000006
【図５】
0003123640.tif 000007
【図６】
0003123640.tif 000008
【図７】
0003123640.tif 000009
【図８】
0003123640.tif 000010
【図９】
0003123640.tif 000011
【図１０】
0003123640.tif 000012
【図１１】
0003123640.tif 000013
【手続補正書】
【提出日】平成18年4月17日(2006.4.17)
【手続補正１】
【補正対象書類名】実用新案登録請求の範囲
【補正対象項目名】請求項５
【補正方法】変更
【補正の内容】
【請求項５】
前記請求項３又は請求項４に記載のブリッジと請求項２に記載のテンプルとを有する事を特徴とするフィッティング眼鏡。
【手続補正２】
【補正対象書類名】明細書
【補正対象項目名】００２３
【補正方法】変更
【補正の内容】
【００２３】
【図１】本考案の第一の実施例の背面からの斜視図
【図２】本考案の第一の実施例の背面からの斜視図
【図３】本考案の第二の実施例の前面からの斜視図
【図４】本考案の第二の実施例の前面からの斜視図
【図５】本考案の第一の実施例の作用説明用平面図
【図６】本考案の第一の実施例の作用説明用平面図
【図７】本考案の第一の実施例の作用説明用平面図
【図８】本考案の第一の実施例の作用説明用平面図
【図９】本考案の第一の実施例のテンプルを折り畳んだ平面図
【図１０】本考案の第二の実施例の説明用要部平面図
【図１１】本考案の第二の実施例の図１０からの変化を示す説明用要部平面図